(57)【特許請求の範囲】
【請求項１】
水平な棚板上の左右の端部に配置された左右の拍子木に設けられ、前記棚板上の前記左右の拍子木間に左右方向にスライド自在に設けられた筬の左右の側面から突出するガイドピンに上方から当接した状態で、前記筬のスライドを案内するピアノの拍子木金具であって、
前記左右の拍子木の各々の内側面に形成された凹部に収容され、当該凹部の内壁面に取り付けられた金具本体と、
この金具本体に、前後方向に延びる軸線を中心として回動自在に取り付けられ、前記筬の前記ガイドピンに上方から当接する回動体と、
を備えていることを特徴とするピアノの拍子木金具。
【請求項２】
前記軸線に沿って延び、前記金具本体に固定された支軸を、さらに備え、
前記回動体は、
前記支軸が貫通した状態で、当該支軸に回動自在に取り付けられた内輪部と、
この内輪部の外周側に設けられるとともに、前記支軸を中心として、前記内輪部に対して回動自在に構成され、前記ガイドピンに当接する外輪部と、
を有していることを特徴とする請求項１に記載のピアノの拍子木金具。
【請求項３】
前記回動体は、前記内輪部と前記外輪部の間に周方向に沿って配置された複数の転動部材を、さらに有していることを特徴とする請求項２に記載のピアノの拍子木金具。
【請求項４】
前記金具本体は、前記回動体を内側に保持した状態で、前記支軸の両端部を支持する支持部を有しており、
滑性を有する材料で構成され、前記支持部の内側面と前記回動体の間に介在するスペーサを、さらに備えていることを特徴とする請求項２または３に記載のピアノの拍子木金具。
【請求項５】
前記金具本体は、対応する前記拍子木に、前後方向に移動自在に取り付けられており、
前記金具本体に係合し、前記拍子木の外方に臨むとともに外部から操作可能に構成され、当該操作によって前記金具本体を前後方向に移動させることにより、前記回動体の前後方向の位置を調整する前後位置調整機構を、さらに備えていることを特徴とする請求項１ないし４のいずれかに記載のピアノの拍子木金具。
【請求項６】
前記前後位置調整機構は、前後方向に延び、対応する前記拍子木に螺合しかつ当該拍子木の前面から操作部が外方に臨むとともに、前記金具本体に連結され、前記操作部が回転操作されることにより、前記金具本体と一体に前後方向に移動する位置調整ロッドを有していることを特徴とする請求項５に記載のピアノの拍子木金具。
【発明の詳細な説明】
【技術分野】
【０００１】
本発明は、グランドピアノの左右の拍子木に設けられ、ソフトペダルの操作に伴って左右方向にスライドする筬を案内するピアノの拍子木金具に関する。
【背景技術】
【０００２】
グランドピアノでは一般に、鍵盤やアクション、ハンマーを載置した木製の筬が、水平な棚板上に左右方向にスライド自在に設けられている。この筬は、演奏者によるソフトペダルの操作に連動して、右方へ所定距離、シフトするように構成されており、それにより、演奏時にハンマーが上方の弦を打弦する位置が若干ずれることで、音色を変化させるなどのソフトペダル効果が得られるようになっている。また、筬には、左右の側面からそれぞれ突出するガイドピンが設けられており、ソフトペダルの操作時に、両ガイドピンが棚板上の左右の拍子木にそれぞれ設けられた拍子木金具で案内される。このような拍子木金具として、従来、本出願人がすでに出願した特許文献１に開示されたものが知られている。
【０００３】
この拍子木金具は、拍子木の内側面に形成された凹部に収容された状態で、その凹部の内壁面に固定された金具本体と、この金具本体に上下方向に移動自在に取り付けられ、筬のガイドピンに上方から当接するピン押さえと、金具本体に斜めにねじ込まれた調整ねじと、この調整ねじの先端部とピン押さえとの間に設けられたばねなどで構成されている。上記の調整ねじの頭部は、金具本体の上方に、内側に向かって斜めに傾いた状態で突出しており、上端面に工具挿入用の六角穴が形成されている。
【０００４】
このように構成された拍子木金具は、筬のガイドピンをピン押さえによって上方から適度な力で押さえることにより、ソフトペダルの操作に伴う筬の左右方向のスライドを案内するとともに、乾湿の影響による筬の反りなどに起因する筬の棚板からの浮き上がりやがたつきを防止する。また、上記の拍子木金具では、ピン押さえによるガイドピンの押さえ力を調整する場合、専用の工具を、拍子木と鍵盤の間の隙間から挿入し、調整ねじの頭部の六角穴に係合させて、その工具を回転操作する。これにより、調整ねじを回しながら、その上下方向の位置を調整し、それに伴い、ピン押さえも上下方向の位置が調整されることによって、ピン押さえによるガイドピンの押さえ力が調整される。
【先行技術文献】
【特許文献】
【０００５】
【特許文献１】特開２００１−２２２２７８号公報
【発明の概要】
【発明が解決しようとする課題】
【０００６】
左右の拍子木は通常、棚板の下方からねじ込まれた拍子木ねじによって、棚板に固定されている。このような拍子木に設けられた上記の拍子木金具では、拍子木を棚板に取り付けた状態のまま、調整ねじを回転操作することで、ピン押さえによるガイドピンの押さえ力を調整することが可能であり、また、調整ねじとピン押さえの間にばねを設けることにより、ガイドピンの押さえ力の微調整が行えるようになっている。しかし、拍子木金具による筬の左右方向への案内は、ガイドピンがピン押さえに摺接しながら行われるため、筬の反りによって、ガイドピンがピン押さえに強く当接すると、両者の間に生じる摩擦力が大きくなり、その結果、ガイドピンと一体にスライドする筬に対する抗力が大きくなってしまう。この場合、ソフトペダルの操作時において、ペダルの踏込みに比較的大きな力が必要になることで、ペダル操作が重くなることがある。また、筬の棚板に密着すべき箇所が浮き上がり、棚板との間に隙間が生じる場合には、演奏者による押鍵時のパワーのすべてをハンマーに適切に伝えることができず、演奏性が低下するという問題もある。したがって、上記の拍子木金具には改善の余地がある。
【０００７】
本発明は、以上のような課題を解決するためになされたものであり、筬をスライドさせるためのペダル操作を円滑に行えるとともに、筬と棚板との良好な密着を維持できることによって、高い演奏性を確保することができるピアノの拍子木金具を提供することを目的とする。
【課題を解決するための手段】
【０００８】
上記の目的を達成するために、請求項１に係る発明は、水平な棚板上の左右の端部に配置された左右の拍子木に設けられ、棚板上の左右の拍子木間に左右方向にスライド自在に設けられた筬の左右の側面から突出するガイドピンに上方から当接した状態で、筬のスライドを案内するピアノの拍子木金具であって、左右の拍子木の各々の内側面に形成された凹部に収容され、凹部の内壁面に取り付けられた金具本体と、この金具本体に、前後方向に延びる軸線を中心として回動自在に取り付けられ、筬のガイドピンに上方から当接する回動体と、を備えていることを特徴とする。
【０００９】
この構成によれば、水平な棚板上の左右の拍子木にそれぞれ、筬の左右方向へのスライドを案内する拍子木金具が設けられている。各拍子木金具の金具本体は、対応する拍子木の内側面に形成された凹部に収容され、その内壁面に取り付けられており、この金具本体に前後方向に延びる軸線を中心として回動自在に取り付けられた回動体が、筬のガイドピンに上方から当接する。これにより、ソフトペダルの操作によって、筬が左右方向にスライドするときには、ガイドピンに当接する回動体が回動するので、ガイドピンに摺接しながら筬を案内する従来の拍子木金具に比べて、スライドする筬に対する抗力を低減することができる。したがって、ソフトペダルを踏み込む際にそれほど大きな力は必要なく、ペダル操作を円滑に行うことができる。また、拍子木金具の回動体が筬のガイドピンに上方から当接しているので、筬の反りなどによるガイドピンの上方への移動を阻止することができる。その結果、筬の反りを抑制することができ、それにより、筬と棚板との良好な密着を維持できることによって、高い演奏性を確保することができる。
【００１０】
請求項２に係る発明は、請求項１に記載のピアノの拍子木金具において、軸線に沿って延び、金具本体に固定された支軸を、さらに備え、回動体は、支軸が貫通した状態で、支軸に回動自在に取り付けられた内輪部と、この内輪部の外周側に設けられるとともに、支軸を中心として、内輪部に対して回動自在に構成され、ガイドピンに当接する外輪部と、を有していることを特徴とする。
【００１１】
この構成によれば、回動体の内輪部が、金具本体に固定された支軸に回動自在に取り付けられ、内輪部の外周側に設けられた外輪部が、支軸を中心として、回動自在になっている。つまり、回動体は、支軸に対していずれも回動自在の内輪部および外輪部による二重構造に構成されている。これにより、筬の反りなどによって、外輪部に対し、ガイドピンから上方への荷重が作用しても、回動体を支軸に対して回動自在の単純なローラなどで構成する場合に比べて、支軸に対する外輪部の回動を確保しやすくすることができる。
【００１２】
請求項３に係る発明は、請求項２に記載のピアノの拍子木金具において、回動体は、内輪部と外輪部の間に周方向に沿って配置された複数の転動部材を、さらに有していることを特徴とする。
【００１３】
この回動体では、内輪部と外輪部に間に、その周方向に沿って、複数の転動部材が配置されており、つまり、回動体が、基本的な転がり軸受と同様に構成されている。このように構成された回動体では、基本的な転がり軸受と同様、支軸に直角な方向に作用する荷重、すなわちラジアル荷重に対する耐性が高く、外輪部が内輪部および支軸に対し、円滑に回動する。したがって、上記の構成によれば、上記請求項２の作用、効果を効果的に得ることができる。
【００１４】
請求項４に係る発明は、請求項２または３に記載のピアノの拍子木金具において、金具本体は、回動体を内側に保持した状態で、支軸の両端部を支持する支持部を有しており、滑性を有する材料で構成され、支持部の内側面と回動体の間に介在するスペーサを、さらに備えていることを特徴とする。
【００１５】
この構成によれば、金具本体の支持部が、その内側に回動体を保持した状態で、支軸の両端部を支持しており、支持部の内側面と回動体の間に、滑性を有する材料で構成されたスペーサが介在されている。これにより、回動体が筬のガイドピンを案内しながら回動する際に、回動体の支持部に対向する面が支持部の内面に直接、当たることがなくなり、したがって、回動体が支持部に当たることによる雑音の発生を確実に防止しながら、回動体の円滑な回動を確保することができる。
【００１６】
請求項５に係る発明は、請求項１ないし４のいずれかに記載のピアノの拍子木金具において、金具本体は、対応する拍子木に、前後方向に移動自在に取り付けられており、金具本体に係合し、拍子木の外方に臨むとともに外部から操作可能に構成され、当該操作によって金具本体を前後方向に移動させることにより、回動体の前後方向の位置を調整する前後位置調整機構を、さらに備えていることを特徴とする。
【００１７】
この構成によれば、金具本体が拍子木に前後方向に移動自在に取り付けられ、この金具本体に、前後位置調整機構が係合している。この前後位置調整機構を操作することにより、金具本体が前後方向に移動し、これと一体に回動体も移動することによって、回動体の前後方向の位置が調整される。また、前後位置調整機構は、拍子木の外方に臨むとともに外部から操作可能に構成されているので、拍子木を棚板に取り付けた状態のまま、回動体の前後方向の位置調整を容易に行うことができる。
【００１８】
請求項６に係る発明は、請求項５に記載にピアノの拍子木金具において、前後位置調整機構は、前後方向に延び、対応する拍子木に螺合しかつ拍子木の前面から操作部が外方に臨むとともに、金具本体に連結され、操作部が回転操作されることにより、金具本体と一体に前後方向に移動する位置調整ロッドを有していることを特徴とする。
【００１９】
この構成によれば、前後位置調整機構の位置調整ロッドは、前後方向に延び、拍子木に螺合しかつその前面から操作部が外方に臨むとともに、金具本体に連結されている。したがって、拍子木の前方から操作部を回転操作することにより、位置調整ロッドが、拍子木に対して回転しながら、金具本体と一体に前後方向に移動し、これにより、回動体も前後方向に移動する。このように、構成が比較的簡単な上記のような位置調整ロッドにより、回動体の前後方向の位置調整を行うための前後位置調整機構を容易に実現することができる。
【図面の簡単な説明】
【００２０】
【図１】本発明の第１実施形態による拍子木金具を適用したグランドピアノにおいて、拍子木金具を、棚板、筬、鍵盤、拍子木および腕木などとともに示す斜視図である。
【図２】右側の拍子木に取り付けられた状態の拍子木金具を、拍子木の一部を破断した状態で、左方から見たときの状態を示す図である。
【図３】拍子木金具を示す図であり、（ａ）は正面図、（ｂ）は側面図である。
【図４】拍子木金具の金具本体を分解して示す正面図であり、（ａ）は前後スライダ、（ｂ）は回動体を支持した状態の回動体サポートである。
【図５】回動体を示す図であり、（ａ）は正面図、（ｂ）は断面図である。
【図６】拍子木金具の前後方向の位置調整を説明するための図であり、（ａ）は、金具本体を後方に移動させたときの状態、（ｂ）は、金具本体を前方に移動させたときの状態を示す。
【図７】本発明の第２実施形態によるピアノの拍子木金具を、拍子木および金具本体の一部を破断した状態で示し、第１実施形態の図２に対応する図である。
【図８】図７の拍子木金具を示す図であり、（ａ）は正面図、（ｂ）は側面図である。
【図９】第２実施形態による拍子木金具の上下方向の位置調整を説明するための図であり、（ａ）は、金具本体を下方に移動させたときの状態、（ｂ）は、金具本体を上方に移動させたときの状態を示す。
【発明を実施するための形態】
【００２１】
以下、図面を参照しながら、本発明の好ましい実施形態を詳細に説明する。図１は、本発明の第１実施形態による拍子木金具を適用したグランドピアノにおいて、拍子木金具１を、棚板２、筬３、鍵盤４、拍子木５および腕木６などとともに示している。なお、拍子木金具１、拍子木５および腕木６はいずれも、棚板２の左右両端部に左右対称に設けられているが、図示の簡略化のために、図１では、演奏者側から見て、右側のもののみを示している。また、鍵盤４は、左右方向に並設された多数（例えば８８個）の鍵４ａによって構成されるが、図１では、白鍵および黒鍵を１つずつ示している。
【００２２】
図１に示すように、棚板２は、平面形状が横長矩形状に形成され、水平に配置されており、その左右両側に腕木６が位置するとともに、上面に筬３が載置されている。この筬３は、スプルスなどの木質材を井桁状に組み立てたものであり、左右方向に延びる筬前１１、筬中１２および筬後１３、ならびにこれらを連結する前後方向に延びる左右の筬妻１４、１４、およびそれらの間に互いに左右方向に間隔を隔てて配置された複数の筬中束１５などで構成されている。筬前１１および筬中１２にはそれぞれ、多数のフロントピン１６およびバランスピン１７（図１ではいずれも一部のみ図示）が立設されており、各鍵４ａが、対応するバランスピン１７を中心として揺動自在に支持されるとともに、フロントピン１６により横振れが防止されるようになっている。
【００２３】
なお、図示は省略するが、鍵盤４の後部には、一般的なグランドピアノと同様、左右方向に並んだ多数のアクションおよびハンマーが載置されており、両者が鍵４ａごとに設けられている。
【００２４】
また、筬前１１の左右の側面にはそれぞれ、拍子木金具１によって左右方向に案内されるガイドピン１８、１８が水平に突出するように設けられている。さらに、筬中１２の下面には、球面状の頭部を有するボルトから成る複数（例えば６つ）の筬すべり金具（図示せず）が、筬中１２の長さ方向に沿って、互いに間隔を隔ててねじ込まれている。筬３は、これらの筬すべり金具の頭部、ならびに筬前１１および筬後１３の下面が棚板２に接しており、棚板２上において左右方向にスライド自在になっている。なお、筬前１１および筬後１３では、それらの下面の奥行き幅（前後方向の幅）が、上面のそれに比べて非常に小さく、棚板２に対する筬３の接触面積が小さいので、両者２、３の間に生じる摩擦力は、比較的小さくなっている。
【００２５】
また、筬３は、これに係合するキーレバーおよび突揚棒を介して、ソフトペダル（いずれも図示せず）に連結されている。このソフトペダルを、演奏者が踏むと、突揚げ棒およびキーレバーにより、鍵盤４、アクションおよびハンマーを載置した筬３が、右方にスライドしてシフトするのに伴い、ハンマーの打弦位置が若干ずれることで、音色を変化させるなどのソフトペダル効果を得ることができる。
【００２６】
拍子木５は、木製のブロック状のものであり、棚板２上の左右両端部に腕木６に隣接するように配置され、棚板２の下方からねじ込まれた拍子木ねじ（図示せず）によって、棚板２に固定されている。また、図１および図２に示すように、拍子木５の鍵盤４側の面である内側面には、拍子木金具１を収容した状態で、これが取り付けられる金具収容部２１（凹部）が形成されている。この金具収容部２１は、鍵盤４側および下方に開放するように形成され、比較的大きなサイズの凹部（以下「大凹部２１ａ」という）と、この大凹部２１ａの奥側の内壁面２１ｂに、大凹部２１ａよりも小さなサイズでかつ大凹部２１ａと同様の形状を有する凹部（以下「小凹部２１ｃ」という）で構成されている。また、拍子木５の前部には、前後方向に水平に延びるロッド収容孔２２が形成されている。そして、このロッド収容孔２２には、内面に雌ねじを有するナット２３を介して、拍子木金具１の後述する回動体３２の前後方向の位置を調整するための前後位置調整ロッド２４（前後位置調整機構、位置調整ロッド）が収容されている。なお、上記ナット２３は、外周面に複数の突起（図示せず）を有するいわゆる鬼目ナットで構成されていて、拍子木５のロッド収容孔２２内に固定されている。
【００２７】
前後位置調整ロッド２４は、前後方向に延びており、前半部に、前記ナット２３に螺合する雄ねじ部２５を有し、後半部に、拍子木金具１の後述する金具本体３１に係合する金具係合部２６を有している。この金具係合部２６は、金具本体３１の後述する係合溝３５ｂに嵌った状態で係合する本体部２６ａと、この本体部２６ａの前後両端部に設けられ、金具本体３１を、前後位置調整ロッド２４に対して前後方向に不動に係止する係止部２６ｂ、２６ｂで構成されている。したがって、前後位置調整ロッド２４が前後方向に移動すると、これと一体に、金具本体３１も前後方向に移動する。また、前後位置調整ロッド２４の前端部には、拍子木５の前方に臨み、外部から操作可能な操作部２４ａが設けられている。この操作部２４ａには、スクリュードライバーなどの工具の先端部が挿入可能な工具挿入溝が形成されている。
【００２８】
図２および図３に示すように、拍子木金具１は、金属製の金具本体３１と、この金具本体３１の下端部に回動自在に支持され、筬３のガイドピン１８に上方から当接する回動体３２とを備えている。金具本体３１は、自身を拍子木５の金具収容部２１内に取り付けた状態で、前後方向（図２、３の左右方向）にスライド自在の前後スライダ３３と、この前後スライダ３３に取り付けられ、回動体３２を支持する回動体サポート３４で構成されている。
【００２９】
図４は、金具本体３１を分解して示す正面図であり、（ａ）は前後スライダ３３、（ｂ）は回動体３２を支持した状態の回動体サポート３４を示している。なお、同図では、右側を前側、左側を後ろ側とするとともに、同図の表面側を正面側、裏面側を背面側として説明するものとする。
【００３０】
図４（ａ）に示すように、前後スライダ３３は、正面形状が矩形に形成されたブロック状のスライダ本体部３５と、このスライダ本体部３５の前後面の上部に設けられ、前後スライダ３３自体を拍子木５に取り付けるためのスライダ取付部３６、３６とを有している。スライダ本体部３５の上部には、互いに前後方向に所定間隔を隔てた２つのねじ孔３５ａ、３５ａが形成され、下部には、前後方向の全体にわたって延びるとともに背面側に開放し、前記前後位置調整ロッド２４の金具係合部２６に係合する係合溝３５ｂが形成されている。また、スライダ本体部３５の前後両端部にはそれぞれ、上下方向の全体にわたって延びるとともに正面側に突出し、回動体サポート３４を上下方向にガイドするためのガイド部３５ｃ、３５ｃが設けられている。一方、前後のスライダ取付部３６、３６はそれぞれ、スライダ本体部３５の前面および後面から、互いに反対方向に所定長さ延びており、各スライダ取付部３６には、外方に開放する横長のＵ字溝３６ａが形成されている。
【００３１】
図４（ｂ）に示すように、回動体サポート３４は、縦長のブロック状に形成され、前後スライダ３３の前後のガイド部３５ｃ、３５ｃ間の長さとほぼ同じ前後方向の幅寸法を有している。この回動体サポート３４の上部には、前後スライダ３３の前後のねじ孔３５ａ、３５ａに対応するように、前後２つの縦長のＵ字溝３７、３７が形成されている。各Ｕ字溝３７は、上方に開放しており、背面側の内側縁部３７ａがその全体にわたって、内方に若干突出するように形成されている。また、回動体サポート３４の下部には、前後方向に互いに所定間隔を隔てて下方に平行に延び、内側に回動体３２を支持する前後一対の支持部３４ａ、３４ａが設けられている。そして、これらの支持部３４ａ、３４ａには、前後方向に水平に延びる支軸３９（軸線）の両端部が接着などによって固定され、この支軸３９に、回動体３２が回動自在に取り付けられている。
【００３２】
図５に示すように、回動体３２は、いわゆる深溝玉軸受と同様に構成されており、支軸３９が貫通した状態で、それに取り付けられた内輪部４１と、この内輪部４１の外周側に設けられた外輪部４２と、これらの内輪部４１および外輪部４２の間に周方向に沿って配置された複数（本例では７つ）の玉４３（転動部材）などで構成されている。内輪部４１は、円筒状に形成されており、支軸３９の直径よりも若干大きい内径を有している。一方、外輪部４２は、その外周面４２ａが、ガイドピン１８の曲率よりも大きな円弧状に凹むように形成されており、この外周面４２ａが筬３のガイドピン１８に上方から当接する。また、複数の玉４３は、内輪部４１および外輪部４２の間に周方向に沿うように設けられた保持器（図示せず）によって、互いの距離が一定に保持されている。さらに、内輪部４１および外輪部４２の両側面には、両者４１および４２の間を塞ぐリング状のシールド４４が取り付けられている。
【００３３】
このように構成された回動体３２では、内輪部４１が支軸３９に対して、外輪部４２が支軸３９および内輪部４１に対して、回動自在になっている。
【００３４】
また、図３および図４に示すように、回動体サポート３４の下部の両支持部３４ａ、３４ａと、回動体３２の両側面との間の隙間にはそれぞれ、支軸３９が貫通した状態で、スペーサ４５、４５が設けられている。各スペーサ４５は、滑性を有する材料（例えばフッ素樹脂）で構成され、回動体３２の側面と同じ形状で、かつ回動体サポート３４の支持部３４ａと回動体３２との間の隙間よりも若干薄い厚さを有するワッシャ状に形成されている。このようなスペーサ４５を、回動体サポート３４の両支持部３４ａ、３４ａと回動体３２の両側面との間に介在させることにより、回動体３２が筬３のガイドピン１８を案内しながら回動する際に、回動体３２の側面が支持部３４ａの内面に直接、当たることがなくなる。したがって、回動体３２が支持部３４ａに当たることによる雑音の発生を確実に防止しながら、回動体３２の円滑な回動を確保することができる。
【００３５】
以上のように構成された金具本体３１では、前後スライダ３３のスライダ本体部３５の正面側に回動体サポート３４を重ねた状態で、２つの組立ねじ４６、４６を、回動体サポート３４の前後のＵ字溝３７ａ、３７ａに通し、さらに、スライダ本体部３５の前後のねじ孔３５ａ、３５ａにねじ込み、締め付ける。これにより、図３に示すように、回動体サポート３４の各Ｕ字溝３７の内側縁部３７ａが、組立ねじ４６の頭部４６ａの底面によって、前後スライダ３３のスライダ本体部３５に押し付けられ、それにより、回動体サポート３４が前後スライダ３３に固定される。
【００３６】
なお、回動体サポート３４は、両Ｕ字溝３７ａ、３７ａを介してねじ止めされるため、前後スライダ３３に対し、上下方向の位置調整を行うことが可能である。したがって、回動体サポート３４を上下方向に移動させると、これと一体に回動体３２も移動し、回動体３２の上下方向の位置調整を行うことができる。
【００３７】
また、前後スライダ３３および回動体サポート３４によって組み立てられた金具本体３１は、図２および図３に示すように、拍子木５の金具収容部２１に収容された状態で、その大凹部２１ａの内壁面２１ｂに、２つの取付ねじ４７、４７を介して取り付けられている。具体的には、前後スライダ３３のスライダ本体部３５および回動体サポート３４が、小凹部２１ｃの内側に位置するとともに、スライダ本体部３５の係合溝３５ｂが前後位置調整ロッド２４の金具係合部２６に係合した状態で、前後のスライダ取付部３６、３６の各Ｕ字溝３６ａに通された取付ねじ４７が、大凹部２１ａの内壁面２１ｂにねじ込まれている。この場合、各取付ねじ４７の頭部４７ａの底面と大凹部２１ａの内壁面２１ｂとの間に、前後スライダ３３のスライダ取付部３６の厚さよりも若干大きい隙間を存するように、取付ねじ４７がねじ込まれている。つまり、金具本体３１は、前後方向に移動自在な状態で、拍子木５の金具収容部２１内に取り付けられている。
【００３８】
次に、上記のように構成された拍子木金具１における回動体３２の位置調整の方法について説明する。この位置調整では、拍子木金具１の回動体３２が、筬３のガイドピン１８を上方から適度な力によって押さえるよう、回動体３２の上下方向の位置を調整（以下、適宜「上下位置調整」という）するとともに、回動体３２が、ガイドピン１８を左右方向に円滑に案内するために、回動体３２の前後方向の中心をガイドピン１８に一致させるよう、回動体３２の前後方向の位置を調整（以下、適宜「前後位置調整」という）する。
【００３９】
上下位置調整は、ピアノの製造時には拍子木５を棚板２に取り付ける前に行われ、またピアノのメンテナンス時には拍子木５を棚板２から取り外した状態で行われる。なおこれらの場合、拍子木金具１は、図２に示す状態で、拍子木５の金具収容部２１内に取り付けられている。まず、ガイドピン１８の棚板２からの高さを計測し、その結果に応じて、回動体３２の上下位置調整を行う。具体的には、２つの組立ねじ４６、４６を緩め、回動体３２が、上記の計測結果に応じた適切な高さに位置するよう、回動体サポート３４を前後スライダ３３に対して上下方向にスライドさせる。そして、一旦緩めた両組立ねじ４６、４６を締め付ける。以上により、回動体３２の上下位置調整が完了する。
【００４０】
一方、前後位置調整は、拍子木５を棚板２に取り付けた状態で行われる。具体的には、まず、拍子木５の前方から、スクリュードライバーなどの工具の先端部を、前後位置調整ロッド２４の操作部２４ａの工具挿入溝に挿入する。そして、その工具を所定方向に回転操作し、前後位置調整ロッド２４を回転させる。
【００４１】
図６（ａ）および（ｂ）はそれぞれ、前後位置調整ロッド２４を、前方から見て時計方向および反時計方向に回転させた状態を示している。同図（ａ）に示すように、前後位置調整ロッド２４を時計方向に回転させると、前後位置調整ロッド２４が後方に移動し、これと一体に、金具本体３１も後方に移動する。これにより、回動体３２は、後方に調整される。一方、同図（ｂ）に示すように、前後位置調整ロッド２４を反時計方向に回転させると、前後位置調整ロッド２４が前方に移動し、これと一体に、金具本体３１も前方に移動する。これにより、回動体３２は、前方に調整される。以上のようにして、前後位置調整ロッド２４を回転操作することにより、回動体３２を前後方向に移動させ、その前後方向の中心をガイドピン１８の中心に一致させる。以上により、回動体３２の前後位置調整が完了する。
【００４２】
以上のように、本実施形態の拍子木金具１によれば、ソフトペダルの操作によって、筬３が左右方向にスライドするときには、ガイドピン１８に上方から当接する回動体３２の外輪部４２が回動するので、ガイドピンに摺接しながら筬を案内する従来の拍子木金具に比べて、スライドする筬３に対する抗力を低減することができる。これにより、ソフトペダルを踏み込む際にそれほど大きな力は必要なく、ペダル操作を円滑に行うことができる。
【００４３】
また、回動体３２は、深溝玉軸受と同様に構成されているので、当該軸受と同様、支軸３９に直角に作用する荷重であるラジアル荷重に対する耐性が高く、したがって、筬３の反りなどによって、外輪部４２に対し、ガイドピン１８から上方への荷重が作用しても、ガイドピン１８の上方への移動を阻止しながら、支軸３９に対する外輪部４２の回動を確保することができる。その結果、筬３の反りを抑制することができ、それにより、筬３と棚板２との良好な密着を維持できることによって、高い演奏性を確保することができる。
【００４４】
さらに、回動体３２の前後位置調整を行う場合、拍子木５の前方から、前後位置調整ロッド２４を回転操作するだけでよく、拍子木５を棚板２に取り付けた状態のまま、回動体３２の前後方向の位置調整を容易に行うことができる。
【００４５】
次に、図７〜図９を参照しながら、本発明の第２実施形態について説明する。なお、以下の説明では、前述した第１実施形態と同じ構成部品については、同一の符号を付し、その詳細な説明を省略するものとする。
【００４６】
本実施形態の拍子木金具５０は、拍子木５を棚板２に取り付けた状態で、拍子木５の前方からの操作によって、回動体３２の上下位置調整が行われ、それにより、回動体３２による筬３のガイドピン１８の押さえ力を調整可能なものである。
【００４７】
図７および図８に示すように、拍子木５の内側面には、拍子木金具５０を収容した状態で、これが取り付けられる金具収容部５３（凹部）が形成されている。この金具収容部５３は、鍵盤４側および下方に開放するように形成され、内壁面５３ａの下半部がさらに奥側に凹むように形成されている。また、拍子木５の上部には、上記金具収容部５３の上方に、後述するかさ歯車部５７ｂ、６２ｂを収容する歯車収容部５４が形成されるとともに、この歯車収容部５４と拍子木５の前方とを連通するロッド収容孔５５が形成されている。そして、このロッド収容孔５５には、円筒状のガイドスリーブ５６を介して、上下位置調整ロッド５７が、前後方向に不動にかつ回転自在に収容されている。
【００４８】
上下位置調整ロッド５７は、前後方向に、拍子木５の上記ロッド収容孔５５とほぼ同じ長さに延びるとともに、ガイドスリーブ５６の内径よりも若干小さい径を有するロッド本体部５７ａと、このロッド本体部５７ａの後端部に設けられ、拍子木５の歯車収容部５４に収容されたかさ歯車部５７ｂとで構成されている。ロッド本体部５７ａの前端部には、前述した第１実施形態の前後位置調整ロッド２４と同様、拍子木５の前方に臨み、外部から操作可能な操作部５７ｃが設けられている。また、かさ歯車部５７ｂは、後方に向かってテーパ状に形成され、最大径が、拍子木５のロッド収容孔５５の径よりも若干小さくかつガイドスリーブ５６の内径よりも大きく形成されている。
【００４９】
拍子木金具５０は、回動体３２を下端部に支持する金具本体５１と、この金具本体５１を拍子木５の金具収容部５３内に取り付けるための取付金具６１と、金具本体５１と上下位置調整ロッド５７との間に設けられ、この上下位置調整ロッド５７の回転に伴って、金具本体５１を上下方向に移動させる昇降ロッド６２とを備えている。
【００５０】
上記の取付金具６１は、図８に示すように、正面形状が上下方向に延びる縦長矩形状の縦板部６１ａと、この縦板部６１ａの下端部から直角に屈曲する下板部６１ｂとで、側面形状がＬ字状に形成されている。この取付金具６１は、縦板部６１ａおよび下板部６１ｂがそれぞれ、金具収容部５３の内壁面５３ａおよびそれに連なる下面にぴったりと接した状態で、ねじ止めされている。また、縦板部６１ａの前後両端部には、上下方向の全体にわたって延びるとともに、正面側に突出し、金具本体５１を上下方向にガイドするためのガイド部６１ｃ、６１ｃが設けられている。さらに、縦板部６１ａの所定位置には、金具本体５１を取付金具６１に取り付けるためのねじ孔６１ｄが形成されている。
【００５１】
金具本体５１は、正面形状が縦長矩形状に形成されたブロック状のものであり、中央部に、上下方向に所定長さ延びる長孔５１ａが形成されている。そして、この長孔５１ａに取付ねじ６３が遊挿された状態で、取付金具６１のねじ孔６１ｄにねじ込まれている。なお、取付ねじ６３は、その頭部６３ａが金具本体５１から若干浮いた状態で、取付金具６１のねじ孔６１ｄにねじ込まれている。
【００５２】
金具本体５１の上部には、上下方向に所定長さ延びる雌ねじ部６４が設けられており、この雌ねじ部６４に前記昇降ロッド６２の下部が螺合している。この昇降ロッド６２は、上下方向に所定長さ延び、下半部に、金具本体５１の雌ねじ部６４に螺合する雄ねじ部６２ａを有している。また、昇降ロッド６２の上端部には、拍子木５の歯車収容部５４に収容された状態で、前記上下位置調整ロッド５７のかさ歯車部５７ｂに噛み合うかさ歯車部６２ｂを有している。そして、この昇降ロッド６２は、拍子木５に、上下方向に不動にかつ中心軸線を中心として回転自在に支持されている。
【００５３】
また、金具本体５１の下部には、前後方向に互いに所定間隔を隔てて下方に平行に延び、内側に回動体３２を支持する前後一対の支持部５１ｂ、５１ｂが設けられている。そして、これらの支持部５１ｂ、５１ｂには、第１実施形態の金具本体３１と同様、前後方向に水平に延びる支軸３９の両端部が固定され、この支軸３９に、回動体３２が回動自在に取り付けられるとともに、その両側面と支持部５１ｂ、５１ｂとの間にそれぞれ、スペーサ４５が設けられている。
【００５４】
以上のように構成された拍子木金具５０では、次のようにして、回動体３２による筬３のガイドピン１８の押さえ力の調整を行う。まず、拍子木５の前方から、スクリュードライバーなどの工具の先端部を、上下位置調整ロッド５７の操作部５７ｃの工具挿入溝に挿入する。そして、工具を回転操作し、例えば図９（ａ）に示すように、上下位置調整ロッド５７を反時計方向に回転させると、昇降ロッド６２が反時計方向に回転する。この場合、金具本体５１は、取付金具６１の前後のガイド部６１ｃ、６１および取付ねじ６３によって、昇降ロッド６２を中心とする回転が阻止される。その結果、金具本体５１は、ガイド部６１ｃ、６１ｃおよび取付ねじ６３で案内されながら、昇降ロッド６２が抜ける方向、すなわち下方に移動する。これに伴い、回動体３２が下降し、ガイドピン１８の押さえ力が大きくなるように調整される。逆に、図９（ｂ）に示すように、上下位置調整ロッド５７を時計方向に回転させると、昇降ロッド６２が時計方向に回転し、それにより、金具本体５１は、昇降ロッド６２がねじ込まれる方向、すなわち上方に移動する。これに伴い、回動体３２が上昇し、ガイドピン１８の押さえ力が小さくなるように調整される。
【００５５】
以上のように、本実施形態の拍子木金具５０によれば、前述した第１実施形態と同様、ソフトペダルの操作によって左右方向にスライドする筬３のガイドピン１８を、回動体３２によって案内するので、ペダル操作を円滑に行うことができるとともに、筬３と棚板２との良好な密着を維持できることによって、高い演奏性を確保することができる。
【００５６】
また、回動体３２によるガイドピン１８の押さえ力を調整する場合、拍子木５の前方から、上下位置調整ロッド５７を回転操作するだけでよく、拍子木５を棚板２に取り付けた状態のまま、回動体３２を上下方向に移動させることによって、ガイドピン１８の押さえ力の調整を容易に行うことができる。
【００５７】
なお、本発明は、説明した第１および第２実施形態に限定されることなく、種々の態様で実施することができる。例えば、両実施形態では、回動体３２として、深溝玉軸受と同様に構成されたものを採用したが、筬３の反りなどによるガイドピン１８の上方への移動を阻止しながら、支軸３９に対して円滑に回動するものであれば、他の種類の軸受はもちろん、その他の構造の回動体を採用することができる。また、第１実施形態では、回動体３２の前後方向の位置調整を行うための前後位置調整機構として、拍子木５の前面から操作部２４ａが外方に臨む前後位置調整ロッド２４を採用したが、本発明の前後位置調整機構はこれに限定されるものではなく、拍子木５を棚板２に取り付けた状態のまま操作可能なものであれば、種々の構成の前後位置調整機構を採用することができる。また、実施形態で示した拍子木金具１、５０の細部の構成などは、あくまで例示であり、本発明の趣旨の範囲内で適宜、変更することができる。
【符号の説明】
【００５８】
１    拍子木金具
２    棚板
３    筬
４    鍵盤
５    拍子木
１８    ガイドピン
２１    金具収容部（凹部）
２１ｂ  内壁面
２４    前後位置調整ロッド（前後位置調整機構、位置調整ロッド）
２４ａ  操作部
３１    金具本体
３２    回動体
３４ａ  支持部
３９    支軸（軸線）
４１    内輪部
４２    外輪部
４３    玉（転動部材）
４５    スペーサ
５０    拍子木金具
５１    金具本体
５１ｂ  支持部
５３    金具収容部（凹部）
５３ａ  内壁面
【図１】
0005470018.tif 000002
【図２】
0005470018.tif 000003
【図３】
0005470018.tif 000004
【図４】
0005470018.tif 000005
【図５】
0005470018.tif 000006
【図６】
0005470018.tif 000007
【図７】
0005470018.tif 000008
【図８】
0005470018.tif 000009
【図９】
0005470018.tif 000010